(57)【要約】【課題】ハンドルが取り外された状態で電動工具が使用されることを防止することが可能な技術を提供する。【解決手段】本明細書は、電動工具を開示する。前記電動工具は、出力シャフトを備えるモータと、前記出力シャフトに接続された動力伝達機構と、前記モータおよび前記動力伝達機構を収容するハウジングと、前記動力伝達機構に接続されており、先端工具を着脱可能な先端工具保持部と、前記ハウジングに着脱可能に取り付けられたハンドルと、前記ハンドルが前記ハウジングに取り付けられていない場合に、前記先端工具保持部の回転を禁止し、前記ハンドルが前記ハウジングに取り付けられている場合に、前記先端工具保持部の回転を許容するロック機構を備えていてもよい。【選択図】図４
2020182982.tif 000002
【特許請求の範囲】
【請求項１】
出力シャフトを備えるモータと、
前記出力シャフトに接続された動力伝達機構と、
前記モータおよび前記動力伝達機構を収容するハウジングと、
前記動力伝達機構に接続されており、先端工具を着脱可能な先端工具保持部と、
前記ハウジングに着脱可能に取り付けられたハンドルと、
前記ハンドルが前記ハウジングに取り付けられていない場合に、前記先端工具保持部の回転を禁止し、前記ハンドルが前記ハウジングに取り付けられている場合に、前記先端工具保持部の回転を許容するロック機構を備える、電動工具。
【請求項２】
前記ロック機構が、前記ハンドルが前記ハウジングに取り付けられていない場合に、前記出力シャフトの回転をロックし、前記ハンドルが前記ハウジングに取り付けられている場合に、前記出力シャフトの回転のロックを解除するロック部材を備える、請求項１の電動工具。
【請求項３】
前記出力シャフトの少なくとも一部が、非円形の断面形状を有しており、
前記ロック部材が、前記出力シャフトの前記少なくとも一部と係合可能な形状を有する、請求項２の電動工具。
【請求項４】
前記ロック部材が、前記出力シャフトの前記少なくとも一部と係合するロック位置と、前記出力シャフトの前記少なくとも一部と係合解除するロック解除位置の間で移動可能に前記ハウジングに保持されており、
前記ロック機構がさらに、前記ロック部材を前記ロック解除位置から前記ロック位置に向けて付勢する付勢部材を備えており、
前記ハンドルが前記ハウジングに取り付けられた場合に、前記ロック部材が前記ハンドルに押圧されて前記ロック位置から前記ロック解除位置に移動する、請求項３の電動工具。
【請求項５】
前記ハウジングが、前記ロック部材が前記ロック位置から前記ロック解除位置に向かう方向に直交する方向に関して、前記ハウジングの一方の側に前記ハンドルを取り付けるための第１取付部と、前記ハウジングの他方の側に前記ハンドルを取り付けるための第２取付部を備えており、
前記ハンドルが前記ハウジングの前記第１取付部に取り付けられた場合に、前記ロック部材が前記ハンドルに押圧されて前記ロック位置から前記ロック解除位置に移動し、
前記ハンドルが前記ハウジングの前記第２取付部に取り付けられた場合にも、前記ロック部材が前記ハンドルに押圧されて前記ロック位置から前記ロック解除位置に移動する、請求項４の電動工具。
【請求項６】
前記ハウジングがさらに、前記ロック部材が前記ロック位置から前記ロック解除位置に向かう方向に関して、前記ハウジングの一方の側に前記ハンドルを取り付けるための第３取付部を備えており、
前記ハンドルが前記ハウジングの前記第３取付部に取り付けられた場合にも、前記ロック部材が前記ハンドルに押圧されて前記ロック位置から前記ロック解除位置に移動する、請求項５の電動工具。
【請求項７】
前記動力伝達機構が、
前記出力シャフトに固定された第１ギヤと、
前記先端工具保持部に固定されており、前記第１ギヤの回転に連動して回転する第２ギヤを備えており、
前記ロック機構が、前記ハンドルが前記ハウジングに取り付けられていない場合に、前記第２ギヤの回転をロックし、前記ハンドルが前記ハウジングに取り付けられている場合に、前記第２ギヤの回転のロックを解除するロック部材を備える、請求項１の電動工具。
【請求項８】
前記ハウジングに設けられており、ユーザが操作可能なロックスイッチと、
前記ロックスイッチに連動して移動可能に前記ハウジングに保持されたロックピンをさらに備えており、
前記第２ギヤが、前記ロックピンが嵌合可能なロック溝を備えており、
前記ロック部材が、前記ロック溝に嵌合可能な形状を有する、請求項７の電動工具。
【請求項９】
前記ロック部材が、前記ロック溝に嵌合するロック位置と、前記ロック溝から抜け出すロック解除位置の間で移動可能に前記ハウジングに保持されており、
前記ロック機構がさらに、
前記ロック部材を前記ロック解除位置から前記ロック位置に向けて付勢する第１付勢部材と、
前記ロック部材を押圧して前記ロック位置から前記ロック解除位置に移動させる動作位置と、前記ロック部材から離反する退避位置の間で移動可能に前記ハウジングに保持されたリンク部材と、
前記リンク部材を前記動作位置から前記退避位置に向けて付勢する第２付勢部材をさらに備えており、
前記ハンドルが前記ハウジングに取り付けられた場合に、前記リンク部材が前記ハンドルに押圧されて前記退避位置から前記動作位置に移動することで、前記ロック部材が前記リンク部材に押圧されて前記ロック位置から前記ロック解除位置に移動する、請求項８の電動工具。
【請求項１０】
前記ハウジングに着脱可能に取り付けられており、前記モータに電力を供給するバッテリをさらに備える、請求項１から９の何れか一項の電動工具。
【請求項１１】
前記先端工具として、研削ホイールを使用可能であり、グラインダとして機能する、請求項１から１０の何れか一項の電動工具。
【請求項１２】
前記ハウジングが、グリップを備えており、
ユーザが、一方の手で前記グリップを把持し、他方の手で前記ハンドルを把持した状態で、前記電動工具を使用可能である、請求項１から１１の何れか一項の電動工具。
【発明の詳細な説明】
【技術分野】
【０００１】
本明細書で開示する技術は、電動工具に関する。
【背景技術】
【０００２】
特許文献１には、出力シャフトを備えるモータと、前記出力シャフトに接続された動力伝達機構と、前記モータおよび前記動力伝達機構を収容するハウジングと、前記動力伝達機構に接続されており、先端工具を着脱可能な先端工具保持部と、前記ハウジングに着脱可能に取り付けられたハンドルを備える電動工具が開示されている。
【先行技術文献】
【特許文献】
【０００３】
【特許文献１】特開２００５−１３８２３９号公報
【発明の概要】
【発明が解決しようとする課題】
【０００４】
ユーザが電動工具を使用する際には、ユーザがハンドルを把持して電動工具を安定して保持しながら作業を行うことが好ましい。しかしながら、特許文献１のように、ハンドルをハウジングに着脱可能な構成では、ハンドルが取り外された状態で電動工具が使用されるおそれがある。本明細書では、ハンドルが取り外された状態で電動工具が使用されることを防止することが可能な技術を提供する。
【課題を解決するための手段】
【０００５】
本明細書は、電動工具を開示する。前記電動工具は、出力シャフトを備えるモータと、前記出力シャフトに接続された動力伝達機構と、前記モータおよび前記動力伝達機構を収容するハウジングと、前記動力伝達機構に接続されており、先端工具を着脱可能な先端工具保持部と、前記ハウジングに着脱可能に取り付けられたハンドルと、前記ハンドルが前記ハウジングに取り付けられていない場合に、前記先端工具保持部の回転を禁止し、前記ハンドルが前記ハウジングに取り付けられている場合に、前記先端工具保持部の回転を許容するロック機構を備えていてもよい。
【０００６】
上記の構成によれば、ハンドルがハウジングに取り付けられていない場合に、ロック機構によって先端工具保持部の回転が禁止されるので、電動工具を使用することができなくなる。このような構成とすることによって、ハンドルが取り外された状態で電動工具が使用されることを防止することができる。
【図面の簡単な説明】
【０００７】
【図１】実施例１の電動工具２について、サイドグリップ１２がギヤハウジング６の右面のグリップ取付孔６２に取り付けられた状態を、前方左方上方から見た斜視図である。
【図２】実施例１の電動工具２の縦断面図である。
【図３】実施例１の電動工具２のシャフトロックスイッチ４２、シャフトロックピン４４および第２ベベルギヤ３４のロック溝４８の構造を示す横断面図である。
【図４】実施例１の電動工具２において、サイドグリップ１２がギヤハウジング６の右面のグリップ取付孔６２に取り付けられた場合の、ロック機構８６の状態を示す横断面図である。
【図５】実施例１の電動工具２のロック機構８６の近傍の内部構造を、後方左方上方から見た斜視図である。
【図６】実施例１の電動工具２について、サイドグリップ１２がギヤハウジング６の左面のグリップ取付孔６４に取り付けられた状態を、前方右方上方から見た斜視図である。
【図７】実施例１の電動工具２において、サイドグリップ１２がギヤハウジング６の左面のグリップ取付孔６４に取り付けられた場合の、ロック機構８６の状態を示す横断面図である。
【図８】実施例１の電動工具２について、サイドグリップ１２がギヤハウジング６の上面のグリップ取付孔６６に取り付けられた状態を、前方左方上方から見た斜視図である。
【図９】実施例１の電動工具２において、サイドグリップ１２がギヤハウジング６の上面のグリップ取付孔６６に取り付けられた場合の、ロック機構８６の状態を示す横断面図である。
【図１０】実施例１の電動工具２について、サイドグリップ１２がギヤハウジング６から取り外された状態を、前方右方上方から見た斜視図である。
【図１１】実施例１の電動工具２において、サイドグリップ１２がギヤハウジング６から取り外された場合の、ロック機構８６の状態を示す横断面図である。
【図１２】実施例２の電動工具１０２について、サイドグリップ１２がギヤハウジング１０４の左面のグリップ取付孔１０８に取り付けられた状態を、前方右方上方から見た斜視図である。
【図１３】実施例２の電動工具１０２について、ギヤハウジング１０４の内部の構造を、前方左方上方から見た斜視図である。
【図１４】実施例２の電動工具１０２において、サイドグリップ１２がギヤハウジング１０４の左面のグリップ取付孔１０８に取り付けられた場合の、ロック機構１２２の状態を示す横断面図である。
【図１５】実施例２の電動工具１０２において、サイドグリップ１２がギヤハウジング１０４の左面のグリップ取付孔１０８に取り付けられた場合の、ロック機構１２２の状態を示す縦断面図である。
【図１６】実施例２の電動工具１０２について、サイドグリップ１２がギヤハウジング１０４から取り外された状態を、前方左方上方から見た斜視図である。
【図１７】実施例２の電動工具１０２において、サイドグリップ１２がギヤハウジング１０４から取り外された場合の、ロック機構１２２の状態を示す横断面図である。
【図１８】実施例２の電動工具１０２において、サイドグリップ１２がギヤハウジング１０４から取り外された場合の、ロック機構１２２の状態を示す縦断面図である。
【発明を実施するための形態】
【０００８】
以下では、本発明の代表的かつ非限定的な具体例について、図面を参照して詳細に説明する。この詳細な説明は、本発明の好ましい例を実施するための詳細を当業者に示すことを単純に意図しており、本発明の範囲を限定することを意図したものではない。また、以下に開示される追加的な特徴ならびに発明は、さらに改善された電動工具、その製造方法及び使用方法を提供するために、他の特徴や発明とは別に、又は共に用いることができる。
【０００９】
また、以下の詳細な説明で開示される特徴や工程の組み合わせは、最も広い意味において本発明を実施する際に必須のものではなく、特に本発明の代表的な具体例を説明するためにのみ記載されるものである。さらに、上記及び下記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００１０】
本明細書及び／又は特許請求の範囲に記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００１１】
１つまたはそれ以上の実施形態において、電動工具は、出力シャフトを備えるモータと、前記出力シャフトに接続された動力伝達機構と、前記モータおよび前記動力伝達機構を収容するハウジングと、前記動力伝達機構に接続されており、先端工具を着脱可能な先端工具保持部と、前記ハウジングに着脱可能に取り付けられたハンドルと、前記ハンドルが前記ハウジングに取り付けられていない場合に、前記先端工具保持部の回転を禁止し、前記ハンドルが前記ハウジングに取り付けられている場合に、前記先端工具保持部の回転を許容するロック機構を備えていてもよい。
【００１２】
上記の構成によれば、ハンドルがハウジングに取り付けられていない場合に、ロック機構によって先端工具保持部の回転が禁止されるので、電動工具を使用することができなくなる。このような構成とすることによって、ハンドルが取り外された状態で電動工具が使用されることを防止することができる。
【００１３】
１つまたはそれ以上の実施形態において、前記ロック機構は、前記ハンドルが前記ハウジングに取り付けられていない場合に、前記出力シャフトの回転をロックし、前記ハンドルが前記ハウジングに取り付けられている場合に、前記出力シャフトの回転のロックを解除するロック部材を備えていてもよい。
【００１４】
上記の構成によれば、ハンドルがハウジングに取り付けられていない場合に、ロック部材によって出力シャフトの回転がロックされるので、電動工具を使用することができなくなる。このような構成とすることによって、ハンドルが取り外された状態で電動工具が使用されることを防止することができる。
【００１５】
１つまたはそれ以上の実施形態において、前記出力シャフトの少なくとも一部は、非円形の断面形状を有していてもよい。前記ロック部材は、前記出力シャフトの前記少なくとも一部と係合可能な形状を有していてもよい。
【００１６】
上記の構成によれば、ハンドルがハウジングに取り付けられていない場合に、ロック部材を出力シャフトに係合させることで、電動工具を使用不能とすることができる。簡素な構成によって、ハンドルが取り外された状態で電動工具が使用されることを防止することができる。
【００１７】
１つまたはそれ以上の実施形態において、前記ロック部材は、前記出力シャフトの前記少なくとも一部と係合するロック位置と、前記出力シャフトの前記少なくとも一部と係合解除するロック解除位置の間で移動可能に前記ハウジングに保持されていてもよい。前記ロック機構はさらに、前記ロック部材を前記ロック解除位置から前記ロック位置に向けて付勢する付勢部材を備えていてもよい。前記電動工具においては、前記ハンドルが前記ハウジングに取り付けられた場合に、前記ロック部材が前記ハンドルに押圧されて前記ロック位置から前記ロック解除位置に移動してもよい。
【００１８】
上記の構成によれば、ハンドルがハウジングに取り付けられていない場合に、付勢部材の付勢力によって、ロック部材がロック位置に保持されて、電動工具を使用不能とすることができる。また、上記の構成によれば、ハンドルがハウジングに取り付けられた場合に、ロック部材が付勢部材の付勢力に抗してロック解除位置まで移動するので、電動工具を使用可能とすることができる。簡素な構成によって、ハンドルの有無に応じて電動工具を使用可能な状態と使用不能な状態の間で切り替えることができる。
【００１９】
１つまたはそれ以上の実施形態において、前記ハウジングは、前記ロック部材が前記ロック位置から前記ロック解除位置に向かう方向に直交する方向に関して、前記ハウジングの一方の側に前記ハンドルを取り付けるための第１取付部と、前記ハウジングの他方の側に前記ハンドルを取り付けるための第２取付部を備えていてもよい。前記電動工具においては、前記ハンドルが前記ハウジングの前記第１取付部に取り付けられた場合に、前記ロック部材が前記ハンドルに押圧されて前記ロック位置から前記ロック解除位置に移動してもよい。前記電動工具においては、前記ハンドルが前記ハウジングの前記第２取付部に取り付けられた場合にも、前記ロック部材が前記ハンドルに押圧されて前記ロック位置から前記ロック解除位置に移動してもよい。
【００２０】
上記の構成によれば、ハンドルがハウジングに取り付けられていない場合に、付勢部材の付勢力によって、ロック部材がロック位置に保持されて、電動工具を使用不能とすることができる。また、上記の構成によれば、ハンドルが第１取付部および第２取付部の何れかに取り付けられた場合に、ロック部材をロック解除位置まで移動させて、電動工具を使用可能とすることができる。
【００２１】
１つまたはそれ以上の実施形態において、前記ハウジングはさらに、前記ロック部材が前記ロック位置から前記ロック解除位置に向かう方向に関して、前記ハウジングの一方の側に前記ハンドルを取り付けるための第３取付部を備えていてもよい。前記電動工具においては、前記ハンドルが前記ハウジングの前記第３取付部に取り付けられた場合にも、前記ロック部材が前記ハンドルに押圧されて前記ロック位置から前記ロック解除位置に移動してもよい。
【００２２】
上記の構成によれば、ハンドルがハウジングに取り付けられていない場合に、付勢部材の付勢力によって、ロック部材がロック位置に保持されて、電動工具を使用不能とすることができる。また、上記の構成によれば、ハンドルが第１取付部、第２取付部および第３取付部の何れかに取り付けられた場合に、ロック部材をロック解除位置まで移動させて、電動工具を使用可能とすることができる。
【００２３】
１つまたはそれ以上の実施形態において、前記動力伝達機構は、前記出力シャフトに固定された第１ギヤと、前記先端工具保持部に固定されており、前記第１ギヤの回転に連動して回転する第２ギヤを備えていてもよい。前記ロック機構は、前記ハンドルが前記ハウジングに取り付けられていない場合に、前記第２ギヤの回転をロックし、前記ハンドルが前記ハウジングに取り付けられている場合に、前記第２ギヤの回転のロックを解除するロック部材を備えていてもよい。
【００２４】
上記の構成によれば、ハンドルがハウジングに取り付けられていない場合に、ロック部材によって第２ギヤの回転がロックされるので、電動工具を使用することができなくなる。このような構成とすることによって、ハンドルが取り外された状態で電動工具が使用されることを防止することができる。
【００２５】
１つまたはそれ以上の実施形態において、前記電動工具は、前記ハウジングに設けられており、ユーザが操作可能なロックスイッチと、前記ロックスイッチに連動して移動可能に前記ハウジングに保持されたロックピンをさらに備えていてもよい。前記第２ギヤは、前記ロックピンが嵌合可能なロック溝を備えていてもよい。前記ロック部材は、前記ロック溝に嵌合可能な形状を有していてもよい。
【００２６】
上記の構成によれば、ロックスイッチの操作に応じて第２ギヤの回転をロックするロックピンと、ハンドルの有無に応じて第２ギヤの回転をロックするロック部材とで、共通のロック溝を使用することができる。ロック機構の構成をより簡素化することができる。
【００２７】
１つまたはそれ以上の実施形態において、前記ロック部材は、前記ロック溝に嵌合するロック位置と、前記ロック溝から抜け出すロック解除位置の間で移動可能に前記ハウジングに保持されていてもよい。前記ロック機構はさらに、前記ロック部材を前記ロック解除位置から前記ロック位置に向けて付勢する第１付勢部材と、前記ロック部材を押圧して前記ロック位置から前記ロック解除位置に移動させる動作位置と、前記ロック部材から離反する退避位置の間で移動可能に前記ハウジングに保持されたリンク部材と、前記リンク部材を前記動作位置から前記退避位置に向けて付勢する第２付勢部材をさらに備えていてもよい。前記電動工具においては、前記ハンドルが前記ハウジングに取り付けられた場合に、前記リンク部材が前記ハンドルに押圧されて前記退避位置から前記動作位置に移動することで、前記ロック部材が前記リンク部材に押圧されて前記ロック位置から前記ロック解除位置に移動してもよい。
【００２８】
上記の構成によれば、ハンドルがハウジングに取り付けられていない場合に、第２付勢部材の付勢力によって、リンク部材が退避位置に保持されるとともに、第１付勢部材の付勢力によって、ロック部材がロック位置に保持されるので、電動工具を使用不能とすることができる。また、上記の構成によれば、ハンドルがハウジングに取り付けられた場合に、リンク部材が第２付勢部材の付勢力に抗して動作位置まで移動するとともに、ロック部材が第１付勢部材の付勢力に抗してロック解除位置まで移動するので、電動工具を使用可能とすることができる。簡素な構成によって、ハンドルの有無に応じて電動工具を使用可能な状態と使用不能な状態の間で切り替えることができる。
【００２９】
１つまたはそれ以上の実施形態において、前記電動工具は、前記ハウジングに着脱可能に取り付けられており、前記モータに電力を供給するバッテリをさらに備えていてもよい。
【００３０】
上記の構成によれば、外部電源にコードで接続することなく、モータに電力を供給することができる。
【００３１】
１つまたはそれ以上の実施形態において、前記電動工具では、前記先端工具として、研削ホイールを使用可能であってもよい。前記電動工具は、グラインダとして機能してもよい。
【００３２】
上記の構成によれば、グラインダとして機能する電動工具が、ハンドルが取り外された状態で使用されることを防止することができる。
【００３３】
１つまたはそれ以上の実施形態において、前記ハウジングは、グリップを備えていてもよい。ユーザは、一方の手で前記グリップを把持し、他方の手で前記ハンドルを把持した状態で、前記電動工具を使用可能であってもよい。
【００３４】
上記の構成によれば、ユーザは、電動工具を使用する際に、一方の手でグリップを把持し、他方の手でハンドルを把持して、電動工具を安定して保持することができる。
【００３５】
（実施例１）
図１に示すように、本実施例の電動工具２は、例えばグラインダである。電動工具２は、モータハウジング４と、ギヤハウジング６と、ベアリングボックス８と、ホイールカバー１０と、サイドグリップ１２と、を備えている。なお、以下の説明では、モータハウジング４の長手方向を前後方向といい、前後方向に直交する方向を左右方向といい、前後方向および左右方向に直交する方向を上下方向という。
【００３６】
図２に示すように、モータハウジング４の前方内部には、原動機であるモータ１４が収容されている。モータ１４は、例えば、インナロータ型のブラシレスＤＣモータである。モータ１４は、前後方向に伸びる出力シャフト１６を有している。出力シャフト１６は、ベアリング１８を介してギヤハウジング６に回転可能に支持されているとともに、ベアリング２０を介してモータハウジング４に回転可能に支持されている。モータハウジング４の後端には、バッテリ２２が取り付けられている。バッテリ２２は、例えばリチウムイオンバッテリ等の、再充電可能な二次電池である。バッテリ２２は、モータハウジング４に対して上下方向にスライドさせることで着脱可能な、スライド式のバッテリである。モータハウジング４の後方内部には、制御基板２４が収容されている。バッテリ２２から供給される電力は、制御基板２４を介して、モータ１４に供給される。モータハウジング４の前方の上面には、前後方向にスライド可能なスライドスイッチ２６が設けられている。スライドスイッチ２６は、ユーザの操作によって、オン位置とオフ位置の間で切り替え可能である。スライドスイッチ２６の位置は、モータハウジング４の内部に収容されたメインスイッチ２８によって検出される。メインスイッチ２８は、制御基板２４に接続されている。スライドスイッチ２６がオン位置にある場合、バッテリ２２からの電力が制御基板２４を介してモータ１４へ供給されて、モータ１４が出力シャフト１６を回転させる。スライドスイッチ２６がオフ位置にある場合、バッテリ２２の電力のモータ１４への供給が遮断されて、モータ１４が出力シャフト１６を停止させる。なお、制御基板２４は、スライドスイッチ２６がオン位置にある場合であっても、モータ１４に流れる電流が所定値を超えて、モータ１４が過負荷の状態であることが検出されると、バッテリ２２の電力のモータ１４への供給を遮断して、出力シャフト１６の回転を停止させる。モータハウジング４の後方の上面には、表示部３０が設けられている。表示部３０は、電動工具２の動作状態やバッテリ２２の電池残量に応じて表示を変化させることで、電動工具２の動作状態やバッテリ２２の電池残量をユーザに報知する。
【００３７】
ギヤハウジング６は、モータハウジング４の前方に取り付けられている。ギヤハウジング６の内部には、互いに噛み合うように配置された第１ベベルギヤ３２と第２ベベルギヤ３４が収容されている。第１ベベルギヤ３２は、出力シャフト１６の前方端部に固定されている。第２ベベルギヤ３４は、上下方向に伸びるスピンドル３６の上方端部に固定されている。以下では、第１ベベルギヤ３２と第２ベベルギヤ３４を総称して、単にベベルギヤ３８ともいう。ベベルギヤ３８は、モータ１４の回転を減速してスピンドル３６に伝達する減速機構であり、動力伝達機構ということができる。ギヤハウジング６は、ベアリング４０を介して、スピンドル３６の上方端部を回転可能に支持している。
【００３８】
図１に示すように、ギヤハウジング６の上面には、シャフトロックスイッチ４２が設けられている。図３に示すように、シャフトロックスイッチ４２には、上下方向に伸びるシャフトロックピン４４が固定されている。シャフトロックピン４４は、上下方向に摺動可能にギヤハウジング６に保持されている。シャフトロックスイッチ４２は、圧縮バネ４６によってギヤハウジング６に対して上方に向けて付勢されている。第２ベベルギヤ３４の上面には、シャフトロックピン４４が嵌合可能な複数のロック溝４８が、周方向に所定の角度間隔で並んで配置されている。ユーザが圧縮バネ４６の付勢力に抗してシャフトロックスイッチ４２を下方に押し込むと、第２ベベルギヤ３４に形成されたロック溝４８にシャフトロックピン４４が嵌合する。この状態では、第２ベベルギヤ３４の回転がロックされるので、スピンドル３６の回転が禁止される。ユーザがシャフトロックスイッチ４２から手を離すと、圧縮バネ４６の付勢力によってシャフトロックスイッチ４２が上方に移動し、シャフトロックピン４４がロック溝４８から抜け出す。この状態では、第２ベベルギヤ３４の回転のロックが解除されるので、スピンドル３６の回転が許容される。
【００３９】
図２に示すように、ベアリングボックス８は、ギヤハウジング６の下方に取り付けられている。ベアリングボックス８は、ベアリング５０を介して、スピンドル３６を回転可能に支持している。スピンドル３６は、上下方向に沿った回転軸に関して、ベアリングボックス８に対して回転可能である。スピンドル３６の下方端部には、インナフランジ５２とアウタフランジ５４を介して、研削ホイール５６を取り付け可能である。インナフランジ５２は、スピンドル３６に嵌合されている。研削ホイール５６は、インナフランジ５２の下方からスピンドル３６に取り付けられて、インナフランジ５２に嵌合されている。アウタフランジ５４は、スピンドル３６の下方端部からスピンドル３６に螺着されて、インナフランジ５２との間で研削ホイール５６を挟持する。電動工具２において、モータ１４が回転すると、スピンドル３６とともに研削ホイール５６が回転軸周りに回転することで、ワークの研削を行うことができる。スピンドル３６は、先端工具である研削ホイール５６を保持する先端工具保持部ということもできる。なお、以下の説明では、モータハウジング４、ギヤハウジング６およびベアリングボックス８を総称して、単にハウジング５８ともいう。
【００４０】
ホイールカバー１０は、ベアリングボックス８に着脱可能に取り付けられている。ホイールカバー１０は、電動工具２に取り付けられた時に、研削ホイール５６を少なくとも部分的に覆う形状に形成されている。ホイールカバー１０は、電動工具２に取り付けられた時に、スピンドル３６を少なくとも部分的に覆う形状を有しているということもできる。ホイールカバー１０は、研削ホイール５６がワークを研削する際に、ユーザ側に切削粉が飛び散ることを防止する。
【００４１】
図１に示すように、サイドグリップ１２は、ギヤハウジング６に着脱可能に取り付けられている。ユーザが電動工具２を使用する際には、一方の手でモータハウジング４を把持し、他方の手でサイドグリップ１２を把持することで、ユーザは電動工具２を安定して保持することができる。
【００４２】
図４に示すように、サイドグリップ１２は、突出部６０を備えている。突出部６０の外周面には、雄ネジが形成されている。ギヤハウジング６には、複数のグリップ取付孔６２，６４，６６が形成されている。グリップ取付孔６２は、ギヤハウジング６の右面に形成されている。グリップ取付孔６４は、ギヤハウジング６の左面に形成されている。グリップ取付孔６６は、ギヤハウジング６の上面に形成されている。複数のグリップ取付孔６２，６４，６６のそれぞれは、ギヤハウジング６の外部から内部まで貫通しており、内周面に突出部６０の雄ネジに対応する雌ネジが形成されている。サイドグリップ１２は、突出部６０を複数のグリップ取付孔６２，６４，６６のうちの１つに螺合させることで、ギヤハウジング６に取り付けられる。図４に示す例では、サイドグリップ１２は、ギヤハウジング６の右面のグリップ取付孔６２に取り付けられている。
【００４３】
図５に示すように、ギヤハウジング６の内部には、ロックプレート６８が収容されている。ロックプレート６８は、ギヤハウジング６に固定された上側ホルダ７０および下側ホルダ７２によって、ギヤハウジング６に対して上下方向に摺動可能に保持されている。ロックプレート６８の中央には、出力シャフト１６が貫通する貫通孔７４が形成されている。出力シャフト１６の、貫通孔７４に対応する位置には、係合部７６が形成されている。図４に示すように、出力シャフト１６の係合部７６は、円の両端を直線状に切り欠いた断面形状を有している。ロックプレート６８の貫通孔７４は、出力シャフト１６の係合部７６が回転不能に通過する係合孔７４ａと、係合孔７４ａの上方に連続的に形成されており、出力シャフト１６の係合部７６が回転可能に通過する非係合孔７４ｂを備えている。ロックプレート６８が上方に位置しており、出力シャフト１６の係合部７６が貫通孔７４の係合孔７４ａを通過している場合、ロックプレート６８は出力シャフト１６の回転をロックする。ロックプレート６８が下方に位置しており、出力シャフト１６の係合部７６が貫通孔７４の非係合孔７４ｂを通過している場合、ロックプレート６８は出力シャフト１６の回転のロックを解除する。以下では、出力シャフト１６の係合部７６が貫通孔７４の係合孔７４ａを通過する場合のロックプレート６８の位置をロック位置ともいい、出力シャフト１６の係合部７６が貫通孔７４の非係合孔７４ｂを通過する場合のロックプレート６８の位置をロック解除位置ともいう。
【００４４】
図５に示すように、ロックプレート６８は、貫通孔７４よりも下方に配置された圧縮バネ７８によって、ギヤハウジング６に対して上方に向けて付勢されている。ロックプレート６８は、貫通孔７４よりも右方に形成された右側当接片８０と、貫通孔７４よりも左方に形成された左側当接片８２と、貫通孔７４よりも上方に形成された上側当接片８４を備えている。右側当接片８０は、ギヤハウジング６のグリップ取付孔６２に対向する位置に配置されている。右側当接片８０は、左方から右方に向かうにつれて上方から下方へ向かうように傾斜した当接面８０ａを有している。左側当接片８２は、ギヤハウジング６のグリップ取付孔６４に対向する位置に配置されている。左側当接片８２は、右方から左方に向かうにつれて上方から下方へ向かうように傾斜した当接面８２ａを有している。上側当接片８４は、ギヤハウジング６のグリップ取付孔６６に対向する位置に配置されている。上側当接片８４は、上下方向に対して直交する当接面８４ａ（図４参照）を有している。なお、以下の説明では、ロックプレート６８と圧縮バネ７８を総称して、ロック機構８６ともいう。
【００４５】
図４に示すように、サイドグリップ１２をギヤハウジング６の右面のグリップ取付孔６２に取り付けると、グリップ取付孔６２を貫通した突出部６０がロックプレート６８の右側当接片８０の当接面８０ａに当接して押圧する。この場合、ロックプレート６８は、圧縮バネ７８の付勢力に抗して下方のロック解除位置に移動し、出力シャフト１６の係合部７６が貫通孔７４の非係合孔７４ｂを通過する状態となる。この状態では、出力シャフト１６の回転のロックが解除されているので、スピンドル３６の回転が許容される。この状態でモータ１４が駆動されると、スピンドル３６が回転する。
【００４６】
図６に示すように、サイドグリップ１２をギヤハウジング６の左面のグリップ取付孔６４に取り付けると、図７に示すように、グリップ取付孔６４を貫通した突出部６０がロックプレート６８の左側当接片８２の当接面８２ａに当接して押圧する。この場合も、ロックプレート６８は、圧縮バネ７８の付勢力に抗して下方のロック解除位置に移動し、出力シャフト１６の係合部７６が貫通孔７４の非係合孔７４ｂを通過する状態となる。この状態でも、出力シャフト１６の回転のロックが解除されているので、スピンドル３６の回転が許容される。この状態でモータ１４が駆動されると、スピンドル３６が回転する。
【００４７】
図８に示すように、サイドグリップ１２をギヤハウジング６の上面のグリップ取付孔６６に取り付けると、図９に示すように、グリップ取付孔６６を貫通した突出部６０がロックプレート６８の上側当接片８４の当接面８４ａに当接して押圧する。この場合も、ロックプレート６８は、圧縮バネ７８の付勢力に抗して下方のロック解除位置に移動し、出力シャフト１６の係合部７６が貫通孔７４の非係合孔７４ｂを通過する状態となる。この状態でも、出力シャフト１６の回転のロックが解除されているので、スピンドル３６の回転が許容される。この状態でモータ１４が駆動されると、スピンドル３６が回転する。
【００４８】
図１０に示すように、サイドグリップ１２をギヤハウジング６から取り外すと、図１１に示すように、ロックプレート６８は、圧縮バネ７８の付勢力によって上方のロック位置に移動し、出力シャフト１６の係合部７６が貫通孔７４の係合孔７４ａを通過する状態となる。この状態では、出力シャフト１６の回転がロックされているので、スピンドル３６の回転が禁止される。この状態でモータ１４が駆動されると、出力シャフト１６の回転がロックされているので、モータ１４が過負荷の状態となる。モータ１４が過負荷の状態となると、制御基板２４が、モータ１４に流れる電流が所定値を超えたことを検知して、バッテリ２２の電力のモータ１４への供給を遮断する。
【００４９】
以上のように、本実施例の電動工具２は、出力シャフト１６を備えるモータ１４と、出力シャフト１６に接続されたベベルギヤ３８（動力伝達機構の例）と、モータ１４およびベベルギヤ３８を収容するハウジング５８と、ベベルギヤ３８に接続されており、研削ホイール５６（先端工具の例）を着脱可能なスピンドル３６（先端工具保持部の例）と、ハウジング５８に着脱可能に取り付けられたサイドグリップ１２（ハンドルの例）と、サイドグリップ１２がハウジング５８に取り付けられていない場合に、スピンドル３６の回転を禁止し、サイドグリップ１２がハウジング５８に取り付けられている場合に、スピンドル３６の回転を許容するロック機構８６を備えている。
【００５０】
上記の構成によれば、サイドグリップ１２がハウジング５８に取り付けられていない場合に、ロック機構８６によってスピンドル３６の回転が禁止されるので、電動工具２を使用することができなくなる。このような構成とすることによって、サイドグリップ１２が取り外された状態で電動工具２が使用されることを防止することができる。
【００５１】
本実施例において、ロック機構８６は、サイドグリップ１２がハウジング５８に取り付けられていない場合に、出力シャフト１６の回転をロックし、サイドグリップ１２がハウジング５８に取り付けられている場合に、出力シャフト１６の回転のロックを解除するロックプレート６８（ロック部材の例）を備えている。
【００５２】
上記の構成によれば、サイドグリップ１２がハウジング５８に取り付けられていない場合に、ロックプレート６８によって出力シャフト１６の回転がロックされるので、電動工具２を使用することができなくなる。このような構成とすることによって、サイドグリップ１２が取り外された状態で電動工具２が使用されることを防止することができる。
【００５３】
本実施例において、出力シャフト１６の係合部７６（少なくとも一部の例）は、非円形の断面形状を有している。ロックプレート６８は、出力シャフト１６の係合部７６と係合可能な形状を有している。
【００５４】
上記の構成によれば、サイドグリップ１２がハウジング５８に取り付けられていない場合に、ロックプレート６８を出力シャフト１６に係合させることで、電動工具２を使用不能とすることができる。簡素な構成によって、サイドグリップ１２が取り外された状態で電動工具２が使用されることを防止することができる。
【００５５】
本実施例において、ロックプレート６８は、出力シャフト１６の係合部７６と係合するロック位置と、出力シャフト１６の係合部７６と係合解除するロック解除位置の間で移動可能にハウジング５８に保持されている。ロック機構８６はさらに、ロックプレート６８をロック解除位置からロック位置に向けて付勢する圧縮バネ７８（付勢部材の例）を備えている。電動工具２においては、サイドグリップ１２がハウジング５８に取り付けられた場合に、ロックプレート６８がサイドグリップ１２に押圧されてロック位置からロック解除位置に移動する。
【００５６】
上記の構成によれば、サイドグリップ１２がハウジング５８に取り付けられていない場合に、圧縮バネ７８の付勢力によって、ロックプレート６８がロック位置に保持されて、電動工具２を使用不能とすることができる。また、上記の構成によれば、サイドグリップ１２がハウジング５８に取り付けられた場合に、ロックプレート６８が圧縮バネ７８の付勢力に抗してロック解除位置まで移動するので、電動工具２を使用可能とすることができる。簡素な構成によって、サイドグリップ１２の有無に応じて電動工具２を使用可能な状態と使用不能な状態の間で切り替えることができる。
【００５７】
本実施例において、ハウジング５８は、ロックプレート６８がロック位置からロック解除位置に向かう方向（本実施例では上下方向）に直交する方向（本実施例では左右方向）に関して、ハウジング５８の一方の側（本実施例では右側）にサイドグリップ１２を取り付けるためのグリップ取付孔６２（第１取付部の例）と、ハウジング５８の他方の側（本実施例では左側）にサイドグリップ１２を取り付けるためのグリップ取付孔６４（第２取付部の例）を備えている。電動工具２においては、サイドグリップ１２がハウジング５８のグリップ取付孔６２に取り付けられた場合に、ロックプレート６８がサイドグリップ１２に押圧されてロック位置からロック解除位置に移動する。電動工具２においては、サイドグリップ１２がハウジング５８のグリップ取付孔６４に取り付けられた場合にも、ロックプレート６８がサイドグリップ１２に押圧されてロック位置からロック解除位置に移動する。
【００５８】
上記の構成によれば、サイドグリップ１２がハウジング５８に取り付けられていない場合に、圧縮バネ７８の付勢力によって、ロックプレート６８がロック位置に保持されて、電動工具２を使用不能とすることができる。また、上記の構成によれば、サイドグリップ１２がグリップ取付孔６２およびグリップ取付孔６４の何れかに取り付けられた場合に、ロックプレート６８をロック解除位置まで移動させて、電動工具２を使用可能とすることができる。
【００５９】
本実施例において、ハウジング５８はさらに、ロックプレート６８がロック位置からロック解除位置に向かう方向（本実施例では上下方向）に関して、ハウジング５８の一方の側（本実施例では上側）にサイドグリップ１２を取り付けるためのグリップ取付孔６６（第３取付部の例）を備えている。電動工具２においては、サイドグリップ１２がハウジング５８のグリップ取付孔６６に取り付けられた場合にも、ロックプレート６８がサイドグリップ１２に押圧されてロック位置からロック解除位置に移動する。
【００６０】
上記の構成によれば、サイドグリップ１２がハウジング５８に取り付けられていない場合に、圧縮バネ７８の付勢力によって、ロックプレート６８がロック位置に保持されて、電動工具２を使用不能とすることができる。また、上記の構成によれば、サイドグリップ１２がグリップ取付孔６２、グリップ取付孔６４およびグリップ取付孔６６の何れかに取り付けられた場合に、ロックプレート６８をロック解除位置まで移動させて、電動工具２を使用可能とすることができる。
【００６１】
本実施例において、電動工具２は、ハウジング５８に着脱可能に取り付けられており、モータ１４に電力を供給するバッテリ２２をさらに備えている。
【００６２】
上記の構成によれば、外部電源にコードで接続することなく、モータ１４に電力を供給することができる。
【００６３】
本実施例の電動工具２では、先端工具として、研削ホイール５６を使用可能である。電動工具２は、グラインダとして機能する。
【００６４】
上記の構成によれば、グラインダとして機能する電動工具２が、サイドグリップ１２が取り外された状態で使用されることを防止することができる。
【００６５】
本実施例において、ハウジング５８は、モータハウジング４（グリップの例）を備えている。ユーザは、一方の手でモータハウジング４を把持し、他方の手でサイドグリップ１２を把持した状態で、電動工具２を使用可能である。
【００６６】
上記の構成によれば、ユーザは、電動工具２を使用する際に、一方の手でモータハウジング４を把持し、他方の手でサイドグリップ１２を把持して、電動工具２を安定して保持することができる。
【００６７】
（実施例２）
図１２に示すように、本実施例の電動工具１０２は、実施例１の電動工具２と略同様の構成を備えている。以下では、本実施例の電動工具１０２について、実施例１の電動工具２と相違する点について説明する。
【００６８】
本実施例の電動工具１０２は、ギヤハウジング６の代わりに、ギヤハウジング１０４を備えている。ギヤハウジング１０４には、複数のグリップ取付孔１０６，１０８が形成されている。グリップ取付孔１０６は、ギヤハウジング１０４の右面に形成されている。グリップ取付孔１０８（図１６参照）は、ギヤハウジング１０４の左面に形成されている。複数のグリップ取付孔１０６，１０８のそれぞれは、ギヤハウジング１０４の外部から内部まで貫通しており、内周面に突出部６０の雄ネジに対応する雌ネジが形成されている。サイドグリップ１２は、突出部６０を複数のグリップ取付孔１０６，１０８のうちの１つに螺合させることで、ギヤハウジング１０４に取り付けられる。図１２に示す例では、サイドグリップ１２は、ギヤハウジング１０４の左面のグリップ取付孔１０８に取り付けられている。
【００６９】
図１３に示すように、ギヤハウジング１０４の内部には、リンク部材１１０と、ロック部材１１２が収容されている。リンク部材１１０は、第１当接片１１４と、第１当接片１１４と一体的に形成された第２当接片１１６を備えている。第１当接片１１４は、前方から後方に向かうにつれて左方から右方へ向かうように傾斜した第１当接面１１４ａを有している。第２当接片１１６は、左右方向に沿って伸びており、かつ上下方向に丸みを帯びた第２当接面１１６ａを有している。ロック部材１１２は、全体が略円柱形状に形成されている。ロック部材１１２の後面には、上方から下方へ向かうにつれて前方から後方へ向かうように傾斜した当接面１１２ａが形成されている。
【００７０】
図１４に示すように、リンク部材１１０は、ギヤハウジング１０４に対して前後方向に摺動可能に、ギヤハウジング１０４に保持されている。リンク部材１１０は、第１当接片１１４の第１当接面１１４ａがギヤハウジング１０４のグリップ取付孔１０８に対向する位置に配置されている。リンク部材１１０は、圧縮バネ１１８によって、ギヤハウジング１０４に対して後方に向けて付勢されている。
【００７１】
図１５に示すように、ロック部材１１２は、ギヤハウジング１０４に対して上下方向に摺動可能に、ギヤハウジング１０４に保持されている。ロック部材１１２は、当接面１１２ａがリンク部材１１０の第２当接片１１６と対向する位置に配置されている。ロック部材１１２は、圧縮バネ１２０によって、ギヤハウジング１０４に対して下方に向けて付勢されている。ロック部材１１２は、第２ベベルギヤ３４に形成されたロック溝４８に嵌合可能な形状を有している。ロック部材１１２がロック溝４８に嵌合すると、第２ベベルギヤ３４の回転がロックされるので、スピンドル３６の回転が禁止される。ロック部材１１２がロック溝４８から抜け出すと、第２ベベルギヤ３４の回転のロックが解除されるので、スピンドル３６の回転が許容される。なお、以下の説明では、リンク部材１１０、ロック部材１１２、圧縮バネ１１８、圧縮バネ１２０を総称して、ロック機構１２２ともいう。また、モータハウジング４、ギヤハウジング１０４およびベアリングボックス８を総称して、単にハウジング１２４ともいう。
【００７２】
図１４に示すように、サイドグリップ１２をギヤハウジング１０４の左面のグリップ取付孔１０８に取り付けると、グリップ取付孔１０８を貫通した突出部６０がリンク部材１１０の第１当接片１１４の第１当接面１１４ａに当接して押圧する。この場合、リンク部材１１０は、圧縮バネ１１８の付勢力に抗して前方に移動する。リンク部材１１０が前方に移動すると、図１５に示すように、リンク部材１１０の第２当接片１１６の第２当接面１１６ａが、ロック部材１１２の当接面１１２ａに当接して押圧する。この場合、ロック部材１１２は、圧縮バネ１２０の付勢力に抗して上方に移動する。この状態では、第２ベベルギヤ３４の回転がロックされていないので、スピンドル３６の回転が許容されており、この状態でモータ１４が駆動されると、スピンドル３６が回転する。なお、この状態における、リンク部材１１０の位置を動作位置ともいい、ロック部材１１２の位置をロック解除位置ともいう。
【００７３】
図１６に示すように、サイドグリップ１２をギヤハウジング１０４の左面のグリップ取付孔１０８から取り外すと、図１７に示すように、リンク部材１１０は、圧縮バネ１１８の付勢力によって後方に移動する。リンク部材１１０が後方に移動すると、図１８に示すように、リンク部材１１０の第２当接片１１６の第２当接面１１６ａが、ロック部材１１２の当接面１１２ａから離反する。この場合、ロック部材１１２は、圧縮バネ１２０の付勢力によって下方に移動し、第２ベベルギヤ３４のロック溝４８に嵌合する。この状態では、第２ベベルギヤ３４の回転がロックされているので、スピンドル３６の回転が禁止される。なお、この状態における、リンク部材１１０の位置を退避位置ともいい、ロック部材１１２の位置をロック位置ともいう。この状態でモータ１４が駆動されると、第２ベベルギヤ３４の回転がロックされているので、モータ１４が過負荷の状態となる。モータ１４が過負荷の状態となると、制御基板２４が、モータ１４に流れる電流が所定値を超えたことを検知して、バッテリ２２の電力のモータ１４への供給を遮断する。
【００７４】
以上のように、本実施例の電動工具１０２は、出力シャフト１６を備えるモータ１４と、出力シャフト１６に接続されたベベルギヤ３８（動力伝達機構の例）と、モータ１４およびベベルギヤ３８を収容するハウジング１２４と、ベベルギヤ３８に接続されており、研削ホイール５６（先端工具の例）を着脱可能なスピンドル３６（先端工具保持部の例）と、ハウジング１２４に着脱可能に取り付けられたサイドグリップ１２（ハンドルの例）と、サイドグリップ１２がハウジング１２４に取り付けられていない場合に、スピンドル３６の回転を禁止し、サイドグリップ１２がハウジング１２４に取り付けられている場合に、スピンドル３６の回転を許容するロック機構１２２を備えている。
【００７５】
上記の構成によれば、サイドグリップ１２がハウジング１２４に取り付けられていない場合に、ロック機構１２２によってスピンドル３６の回転が禁止されるので、電動工具１０２を使用することができなくなる。このような構成とすることによって、サイドグリップ１２が取り外された状態で電動工具１０２が使用されることを防止することができる。
【００７６】
本実施例において、ベベルギヤ３８は、出力シャフト１６に固定された第１ベベルギヤ３２（第１ギヤの例）と、スピンドル３６に固定されており、第１ベベルギヤ３２の回転に連動して回転する第２ベベルギヤ３４（第２ギヤの例）を備えている。ロック機構１２２は、サイドグリップ１２がハウジング１２４に取り付けられていない場合に、第２ベベルギヤ３４の回転をロックし、サイドグリップ１２がハウジング１２４に取り付けられている場合に、第２ベベルギヤ３４の回転のロックを解除するロック部材１１２を備えている。
【００７７】
上記の構成によれば、サイドグリップ１２がハウジング１２４に取り付けられていない場合に、ロック部材１１２によって第２ベベルギヤ３４の回転がロックされるので、電動工具１０２を使用することができなくなる。このような構成とすることによって、サイドグリップ１２が取り外された状態で電動工具１０２が使用されることを防止することができる。
【００７８】
本実施例において、電動工具１０２は、ハウジング１２４に設けられており、ユーザが操作可能なシャフトロックスイッチ４２（ロックスイッチの例）と、シャフトロックスイッチ４２に連動して移動可能にハウジング１２４に保持されたシャフトロックピン４４（ロックピンの例）をさらに備えている。第２ベベルギヤ３４は、シャフトロックピン４４が嵌合可能なロック溝４８を備えている。ロック部材１１２は、ロック溝４８に嵌合可能な形状を有している。
【００７９】
上記の構成によれば、シャフトロックスイッチ４２の操作に応じて第２ベベルギヤ３４の回転をロックするシャフトロックピン４４と、サイドグリップ１２の有無に応じて第２ベベルギヤ３４の回転をロックするロック部材１１２とで、共通のロック溝４８を使用することができる。ロック機構１２２の構成をより簡素化することができる。
【００８０】
本実施例において、ロック部材１１２は、ロック溝４８に嵌合するロック位置と、ロック溝４８から抜け出すロック解除位置の間で移動可能にハウジング１２４に保持されている。ロック機構１２２はさらに、ロック部材１１２をロック解除位置からロック位置に向けて付勢する圧縮バネ１２０（第１付勢部材の例）と、ロック部材１１２を押圧してロック位置からロック解除位置に移動させる動作位置と、ロック部材１１２から離反する退避位置の間で移動可能にハウジング１２４に保持されたリンク部材１１０と、リンク部材１１０を動作位置から退避位置に向けて付勢する圧縮バネ１１８（第２付勢部材の例）をさらに備えている。電動工具１０２においては、サイドグリップ１２がハウジング１２４に取り付けられた場合に、リンク部材１１０がサイドグリップ１２に押圧されて退避位置から動作位置に移動することで、ロック部材１１２がリンク部材１１０に押圧されてロック位置からロック解除位置に移動する。
【００８１】
上記の構成によれば、サイドグリップ１２がハウジング１２４に取り付けられていない場合に、圧縮バネ１１８の付勢力によって、リンク部材１１０が退避位置に保持されるとともに、圧縮バネ１２０の付勢力によって、ロック部材１１２がロック位置に保持されるので、電動工具１０２を使用不能とすることができる。また、上記の構成によれば、サイドグリップ１２がハウジング１２４に取り付けられた場合に、リンク部材１１０が圧縮バネ１１８の付勢力に抗して動作位置まで移動するとともに、ロック部材１１２が圧縮バネ１２０の付勢力に抗してロック解除位置まで移動するので、電動工具１０２を使用可能とすることができる。簡素な構成によって、サイドグリップ１２の有無に応じて電動工具１０２を使用可能な状態と使用不能な状態の間で切り替えることができる。
【００８２】
本実施例において、電動工具１０２は、ハウジング１２４に着脱可能に取り付けられており、モータ１４に電力を供給するバッテリ２２をさらに備えている。
【００８３】
上記の構成によれば、外部電源にコードで接続することなく、モータ１４に電力を供給することができる。
【００８４】
本実施例の電動工具１０２では、先端工具として、研削ホイール５６を使用可能である。電動工具１０２は、グラインダとして機能する。
【００８５】
上記の構成によれば、グラインダとして機能する電動工具１０２が、サイドグリップ１２が取り外された状態で使用されることを防止することができる。
【００８６】
本実施例において、ハウジング１２４は、モータハウジング４（グリップの例）を備えている。ユーザは、一方の手でモータハウジング４を把持し、他方の手でサイドグリップ１２を把持した状態で、電動工具１０２を使用可能である。
【００８７】
上記の構成によれば、ユーザは、電動工具１０２を使用する際に、一方の手でモータハウジング４を把持し、他方の手でサイドグリップ１２を把持して、電動工具１０２を安定して保持することができる。
【００８８】
（変形例）
上記の実施例では、電動工具２，１０２がグラインダであり、動力伝達機構がベベルギヤ３８であり、先端工具が研削ホイール５６であり、先端工具保持部がスピンドル３６であり、グリップがモータハウジング４であり、ハンドルがサイドグリップ１２である場合について説明した。これとは異なり、電動工具２，１０２は、ドライバドリルやハンマドリル等の、他の種類の電動工具であってもよい。また、動力伝達機構は他の種類の動力伝達機構であってもよく、先端工具は他の種類の先端工具であってもよく、先端工具保持部は他の種類の先端工具保持部であってもよく、グリップは他の種類のグリップであってもよく、ハンドルは他の種類のハンドルであってもよい。
【００８９】
上記の実施例では、電動工具２，１０２が、ハウジング５８，１２４に着脱可能なバッテリ２２から電力を供給される構成について説明した。これとは異なり、電動工具２，１０２は、外部電源からコードを介して電力を供給される構成としてもよい。
【符号の説明】
【００９０】
２        ：電動工具
４        ：モータハウジング
６        ：ギヤハウジング
８        ：ベアリングボックス
１０      ：ホイールカバー
１２      ：サイドグリップ
１４      ：モータ
１６      ：出力シャフト
１８      ：ベアリング
２０      ：ベアリング
２２      ：バッテリ
２４      ：制御基板
２６      ：スライドスイッチ
２８      ：メインスイッチ
３０      ：表示部
３２      ：第１ベベルギヤ
３４      ：第２ベベルギヤ
３６      ：スピンドル
３８      ：ベベルギヤ
４０      ：ベアリング
４２      ：シャフトロックスイッチ
４４      ：シャフトロックピン
４６      ：圧縮バネ
４８      ：ロック溝
５０      ：ベアリング
５２      ：インナフランジ
５４      ：アウタフランジ
５６      ：研削ホイール
５８      ：ハウジング
６０      ：突出部
６２      ：グリップ取付孔
６４      ：グリップ取付孔
６６      ：グリップ取付孔
６８      ：ロックプレート
７０      ：上側ホルダ
７２      ：下側ホルダ
７４      ：貫通孔
７４ａ    ：係合孔
７４ｂ    ：非係合孔
７６      ：係合部
７８      ：圧縮バネ
８０      ：右側当接片
８０ａ    ：当接面
８２      ：左側当接片
８２ａ    ：当接面
８４      ：上側当接片
８４ａ    ：当接面
８６      ：ロック機構
１０２    ：電動工具
１０４    ：ギヤハウジング
１０６    ：グリップ取付孔
１０８    ：グリップ取付孔
１１０    ：リンク部材
１１２    ：ロック部材
１１２ａ  ：当接面
１１４    ：第１当接片
１１４ａ  ：第１当接面
１１６    ：第２当接片
１１６ａ  ：第２当接面
１１８    ：圧縮バネ
１２０    ：圧縮バネ
１２２    ：ロック機構
１２４    ：ハウジング
【図１】
2020182982.tif 000003
【図２】
2020182982.tif 000004
【図３】
2020182982.tif 000005
【図４】
2020182982.tif 000006
【図５】
2020182982.tif 000007
【図６】
2020182982.tif 000008
【図７】
2020182982.tif 000009
【図８】
2020182982.tif 000010
【図９】
2020182982.tif 000011
【図１０】
2020182982.tif 000012
【図１１】
2020182982.tif 000013
【図１２】
2020182982.tif 000014
【図１３】
2020182982.tif 000015
【図１４】
2020182982.tif 000016
【図１５】
2020182982.tif 000017
【図１６】
2020182982.tif 000018
【図１７】
2020182982.tif 000019
【図１８】
2020182982.tif 000020